(57)【特許請求の範囲】
【請求項１】
海藻の遊走子を含む水槽内に紐状体又は布片を浸漬し、該紐状体又は布片に前記遊走子を着生させて育成し、着生した前記遊走子が幼体に生長した後、前記紐状体又は布片を適宜の寸法に切断して小片からなる担持基体に固着して、前記担持基体を介して造成用構造物に直接取着可能な形態からなる海藻種苗担持片を大量に生産し、さらに前記海藻種苗担持片を前記担持基体を介して海底から離した状態に海中に保持して適度に育成した上、海藻種苗を前記担持基体に固着した中間形態のまま目的海域へ移送することにより、担持基体を介して造成用構造物に直接取着可能な形態からなる良質の造成用海藻種苗を目的海域へ大量供給することを特徴とする造成用海藻種苗の供給方法。
【請求項２】
海藻の遊走子を含む水槽内に紐状体又は布片を浸漬し、該紐状体又は布片に前記遊走子を着生させて育成し、着生した前記遊走子が幼体に生長した後、前記紐状体又は布片を適宜の寸法に切断して小片からなる担持基体に固着して、前記担持基体を介して造成用構造物に直接取着可能な形態からなる海藻種苗担持片を大量に生産し、さらに前記海藻種苗担持片を前記担持基体を介して海底から離した状態に海中に保持して適度に育成した上、海藻種苗を前記担持基体に固着した中間形態のまま目的海域へ移送して、前記担持基体を介して前記海藻種苗担持片を造成用構造物に直接取着することにより、良質の造成用海藻種苗を用いて海中林を造成することを特徴とする海中林造成方法。
【発明の詳細な説明】
【０００１】
【発明の属する技術分野】
本発明は、海中林の造成用海藻種苗の供給方法及びその造成用海藻種苗を用いた海中林造成方法に関する。より詳しくは、造成用海藻種苗の生産性の向上と目的海域への輸送上の利便性を図り、造成用海藻種苗を供給基地から各目的海域へのより良質な海藻種苗の大量供給を実現するとともに、その良質の造成用海藻種苗を用いて海中林をより安定的に造成することを特徴とする。
【０００２】
【従来の技術】
従来、ワカメやコンブなどの海藻の増殖方法として、種苗糸と呼ばれる撚糸に生殖細胞を付着させ、これを養生した上、海中に設置して増殖を図るという方法が広く行われている。しかしながら、この増殖方法は、養殖には適しているものの、海中林造成用の海藻種苗供給源としてそのまま使用した場合には種々の問題があった。例えば、造成用のコンクリートブロックに前記種苗糸を直接巻付けて海中に沈設するという実験が試みられたが、この実験結果によれば、磯焼け海域や海藻類による被度、すなわち海底が海藻類により被覆された割合の低い海域でのアラメやカジメ場などの海藻からなる海中林の造成は、ウニやアワビ、サザエなどの藻食性動物による食害により継続的な藻場の育成がきわめて困難であることが判明している。すなわち、種苗糸をそのままブロックに装着する従来方法では、最も重要な造成初期におけるとりわけサザエやアワビなどの大型の藻食性動物の食害によるダメージによって継続的な藻場の育成が阻害されるという問題があった。このため、前記従来方法による実用化はなかなか進んでいないのが実状である。
【０００３】
他方、以上のような磯焼け海域や海藻類による被度の低い海域における海中林の造成を短期間で確実に行うには、核となる海藻種苗を相当量、造成海域に供給することが重要であり、不可欠である。このため、大規模の海中林を造成するには、海藻種苗を生育しやすい形態で大量に用意する必要があるが、これに適応し得る適当な従来方法は見当らない。
【０００４】
【発明が解決しようとする課題】
本発明は、このような事情に鑑みてなされたもので、その目的は、海藻種苗を生育しやすい安定した形態で簡便に大量供給することの可能な海藻種苗の供給技術を提供し、造成用海藻種苗の生産性の向上と目的海域への輸送上の利便性を図り、大量の良質な造成用海藻種苗の提供により、重要な造成初期における従来の問題点を解消して、より安定的な藻場の実現を図る点にある。
【０００５】
【課題を解決するための手段】
前記課題を達成するため、請求項１の発明では、海藻の遊走子を含む水槽内に紐状体又は布片を浸漬し、該紐状体又は布片に前記遊走子を着生させて育成し、着生した前記遊走子が幼体に生長した後、前記紐状体又は布片を適宜の寸法に切断して小片からなる担持基体に固着して、前記担持基体を介して造成用構造物に直接取着可能な形態からなる海藻種苗担持片を大量に生産し、さらに前記海藻種苗担持片を前記担持基体を介して海底から離した状態に海中に保持して適度に育成した上、海藻種苗を前記担持基体に固着した中間形態のまま目的海域へ移送することにより、担持基体を介して造成用構造物に直接取着可能な形態からなる良質の造成用海藻種苗を目的海域へ大量供給するという技術手段を採用した。また、請求項２の発明では、以上のように水槽内で海藻の遊走子を着生させて幼体にまで生長し、さらに海中にて適度に育成した上、記担持基体に固着した中間形態のまま目的海域へ移送された大量の造成用海藻種苗を用い、前記担持基体を介して海藻種苗担持片を造成用構造物に直接取着することにより、良質の造成用海藻種苗を用いて海中林を造成するという技術手段を採用した。
【０００６】
【発明の実施の形態】
前記担持基体は、海藻を小規模の単位で担持するためのもので、木片等の小片から形成される。小片は必ずしも木片に限定されず、合成樹脂、コンクリート、布など、適宜の素材からなる小片の使用が可能である。また、その形状に関しても、丸棒状のもののほか、種々の断面形状のものや、板状、ブロック状、中空状のものなどの使用が可能である。要は海藻を担持し得る小片であればよい。そして、この小片からなる担持基体に海藻種苗を固着して形成した前記海藻種苗担持片は、食害による被害をできるだけ少なくするように、ブロックや柱体等からなる造成用の構造体に対して、その担持基体の形状に応じて適宜姿勢で多数付設して海中に沈設することにより海藻類からなる海中林の造成を図ることになる。
【０００７】
前記海藻種苗として用いられる海藻の種類としては、ツルアラメやアラメ、カジメ、コンブ、ワカメなど、広くコンブ目に属する藻類の使用が可能である。海藻種苗は、コンブ目に属する適宜の藻類の遊走子を含む水槽内に枠体に巻回状態に保持された長尺の撚糸を浸漬し、その撚糸に前記遊走子を着生させて育成することにより、生育しやすい安定した形態で得ることができる。このように育成され、撚糸上で幼体に生長した海藻種苗は、撚糸部分において適宜長さに切断して小片からなる前記担持基体に固着することにより提供される。なお、この場合、前記撚糸としては、合成繊維からなるクレモナ種苗糸（商品名）などが好適であるが、他の素材からなる撚糸でもよい。また、前記撚糸に代えて、織布又は不織布等の布片に海藻の遊走子を着生させ、幼体に生長した後、適宜幅の紐状体に裁断し、あるいは、予め適宜幅の紐状体に裁断した布片に前記遊走子を着生させ、幼体に生長した後、それらの紐状体を前記担持基体に固着するものでもよい。すなわち、要は海藻種苗が紐状体上において幼体に生長した後に担持基体に固着するものであればよく、その紐状体としては、前記担持基体への固着に適した紐状のものであれば、撚糸であっても、予め又は着生後、適宜幅に裁断した布片でもよい。そして、前記担持基体に対する前記紐状体の固着方法としては、海藻種苗の幼体が着生した前記紐状体を担持基体の周囲に巻付けて撚糸部分で結んだり、担持基体に予め形成した切込み部に撚糸部分を挟み込んで固着したり、接着剤を用いて接着したり、あるいは、ステープルなどの適宜の固着手段を用いて固着するなど、適宜の手段で固着することが可能である。
【０００８】
海藻種苗としての幼体を担持基体に固着してなる海藻種苗担持片は、更に海中にて養生・育成した後、目的海域へ移送して海中林の骨格を形成するコンクリートブロックや、そのコンクリートブロックに立設された柱体などの構造体に多数付設され、所定の海域に海中林造成用の核となる海藻種苗源として沈設されることになる。以上のように、本発明の場合においては、海藻種苗は、従来のように構造体に対して直接的に付設されるのではなく、小片からなる前記担持基体を介して構造体に付設する供給形態を採用しているので、担持基体ごとの小規模単位で生産やその管理及び輸送が可能なことから、簡便に生育状態の安定した良質の海藻種苗を大量に供給することができる。さらに、小片からなる担持基体上で生長する藻体の仮根部は、担持基体を抱かかえるように伸長するため、固定強度が高く流出しにくい。
【０００９】
【実施例】
次に本発明の実施例に関して説明する。先ず、海藻の幼体が着生した前記紐状体の生産に関する実施例について説明する。その紐状体の生産は、ワカメなどの養殖方法と同様に、合成繊維からなるクレモナ（商品名）等の撚糸を用い、例えば枠体に対して巻回するなどして適宜の状態で水槽内に浸漬し、その水槽内に海藻本体から切取った胞子葉を浸漬して遊走子を放出させて撚糸に着生させることにより行われる。そして、撚糸に着生した遊走子が幼体に生長したら、水槽から取出して、撚糸の部分において固着方法に適した所定長さに切断して木片等の小片からなる担持基体に固着する。なお、前記撚糸に代えて織布又は不織布等の布片を用いる場合においても、以上と同様に、水槽内に浸漬して遊走子を着生させ、幼体を育成することにより、海藻の幼体が着生した前記紐状体を生産することができる。この場合、前述のように、予め又は着生後に適宜幅の紐状体に裁断することにより、使い勝手のよい適当な幅の紐状体に形成すればよい。
【００１０】
図１又は図２に示したように、前記担持基体１は、前述のように木片等の小片から構成され、直径が例えば５ｃｍ前後の丸棒状等の適宜の形状に形成される。この担持基体１の外表面には、必要に応じて養藻塗料を塗布することができる。その養藻塗料としては、一般的に用いられている公知のものでよく特段の限定はないが、その一例として、当出願人が開示した光合成細菌、多孔質粒子を用いた担体及び当該光合成細菌の栄養成分を含有するところの水域環境改善用塗料（特開平５−２４７３７８号公報）が好適である。かかる塗料を使用した場合には、従来の化学肥料等を主成分とする養藻塗料に比べてその持続性が高いため、長期間にわたって海藻の高い着生率を維持し、かつ海藻の生育に必要な栄養分を継続的に安定して供給することができる。その結果、海藻の更新が繰返され、安定した海中林が造成されることになる。
【００１１】
また、前記紐状体２は、ツルアラメなどの適宜の種類の海藻の幼体３を長尺の撚糸４や前記布片に着生することにより形成される。撚糸４を用いた場合には、前述のように、着生後その撚糸４の部分において固着方法に適応した長さに切断される。例えば、図１のように、担持基体１の適宜部位に切込み５を形成して、その切込み５の部分に紐状体２を挟み込んで固着する固着方法を採用する場合には、紐状体２は１０ｃｍ程度の長さに切断し、その中間部を切込み５部分に挿入して固着する。この場合、その固着力を補完するために切込み５部分に接着剤を用いてもよい。また、図２のように、担持基体１の外周面に対して紐状体２を固く巻付けて固着する固着方法を採用する場合には、紐状体２は２５ｃｍ程度の長さに切断するのが適当である。この場合、紐状体２の両端部は、両者を結び付けたり、ステープル等の適宜の固着手段を用いて固定すればよい。
【００１２】
さらに、図１の切込み５による固着方法に替えて、１０ｃｍ程度に切断した紐状体２の略中央部をステープル等の適宜の固着手段を用いて担持基体１に対して固着するようにしてもよい。また、適宜の長めの長さに切断した紐状体２を図２のように担持基体１の外周面に巻付けたり、螺旋状に巻付け、その適宜部位をステープル等の固着手段により固着する方法も可能である。また、前記ステープル等の固着手段に替えて、あるいは、それらの固着手段と併用する形で、接着剤による固着方法を採用してもよい。なお、担持基体１が丸棒状ではなく、板状や布状の場合であっても同様な固着手段を適宜選択することにより固着することができる。
【００１３】
図３は前記紐状体２として織布又は不織布等の布片６を用いて海藻種苗を着生させた実施例を示したもので、本実施例は担持基体１に対して前記紐状体２を螺旋状に巻付け、その両端部をステープル７で固着した場合を示したものである。なお、本実施例においても、担持基体１の構成やその担持基体１に対する固着手段などに関しては、前述の実施例の場合と同様の変形が可能である。また、前述のように、布片６は、海藻種苗の着生作業前に予め所定幅に裁断したものでも、着生後に所定幅に裁断したものでもよい。
【００１４】
以上のように、担持基体１に紐状体２を固着することにより形成された海藻種苗担持片８は、図４〜図６に示すように海中に設置することにより養生してから目的海域へ提供され、更に生育状態の良好な、より良質の海藻種苗の提供が可能になる。図４は養生設備のシステム全体の要部を示した概略図で、図中、９は海面、１０は浮玉、１１は両端部を定置用のブロック１２に連結され、中間部を浮玉１０により支持された養生用の親ロープである。親ロープ１１の中間部分は、浮玉１０により海面９から２ｍ程度の深さに支持されており、その親ロープ１１の中間部分には２〜３ｍ程度の長さに形成され、途中に適宜数の前記海藻種苗担持片８を支持した垂下用ロープ１３が３〜４ｍ程度の間隔で多数垂下される。
【００１５】
図５は前記垂下用ロープ１３の垂下状態を示した拡大図、図６はその垂下用ロープ１３の部分を更に拡大して示した拡大斜視図である。図６に示すように、垂下用ロープ１３には、前記海藻種苗担持片８が略中央部に穿設された貫通孔１４を介して複数挿通されている。また、その海藻種苗担持片８相互間には、塩化ビニルなどからなるパイプ１５が挿通され、それらの間隔を一定に保持している。さらに、図５に示すように、垂下用ロープ１３の下端部には重り１６が付設されている。
【００１６】
以上のように、前記海藻種苗担持片８は、垂下用ロープ１３に支持された状態で、水深２〜５ｍ程度の海中に所定期間、垂下されることにより、環境に順応するとともに前記担持基体１に固着された海藻の幼体３が更に生長して、その仮根部が担持基体１に確実に定着するなど、良好な養生効果が得られる。なお、垂下期間等の養生条件は必要に応じて適宜調整が可能である。しかして、海藻種苗担持片８は、以上により養生された幼体３を前記撚糸４を介して担持基体１に固着したままの状態で海中から引上げられ、そのまま一時保管され、あるいは、目的海域へ輸送される。この場合、一時保管時や輸送時においては、海藻種苗担持片８ごとの規模の小さな単位で管理が可能なため、取扱いがきわめて簡便で、作業性が良好である。
【００１７】
つぎに、前記海藻種苗担持片８の使用状態に関する実施例について説明する。図７はその海藻種苗担持片８の使用状態に関する一実施例を示した概略斜視図、図８はその部分概略図である。図中、１７は海中林造成用の構造体で、コンクリートブロック等から構成される基盤１８及びその基盤１８に立設された適数本の木材等からなる柱体１９によって全体的な骨格が形成されている。そして、本実施例においては、図示のように、前記海藻種苗担持片８（図７では海藻種苗の図示を省略している）は、柱体１９の外周面に所定間隔を隔てて取着されている。この場合、海藻種苗担持片８の柱体１９に対する取着は、柱体１９の外表面に予め形成したほぞ穴等の嵌合穴に海藻種苗担持片８の一部を嵌入し、必要に応じて接着剤などにより固定することにより行われる。なお、柱体１９としては、間伐材等の自然木をそのまま表皮を剥いで、前述の養藻塗料を塗布して被覆したものや、円柱状や角柱状に加工した木材に養藻塗料を塗布して被覆したもの、あるいは、コンクリート柱やプラスチックパイプなどが用いられる。また、各海藻種苗担持片８の柱体１９への取着部位は、なるべく同じ平面内に海藻種苗担持片８どうしが競合しないように互いにずらしておくことが望ましい。なお、海藻種苗担持片８の担持基体１として板や布などの平面的なものを用いる場合には、サザエやアワビによる食害を考慮し、その平面が垂直状態に近い姿勢になるような向きで造成用の構造体に取付けてもよい。
【００１８】
しかして、海藻種苗担持片８の取着された構造体１７は目的海域へ沈設され、海中林の核となる海藻種苗を提供することになる。なお、海藻種苗担持片８は、前記基盤１８の外表面に対しても、適当な嵌合穴等を形成して取着することが可能である。さらに、前記柱体１９は使用しないで、構造体全体をコンクリートブロックなどから形成し、その外表面に海藻種苗担持片８を取着する使用形態も可能である。
【００１９】
【発明の効果】
本発明によれば、以下の各効果が相俟って、大量の良質の造成用海藻種苗を提供基地から目的海域へより安定的かつ計画的に供給することが可能となり、より安定的な海中林の造成が可能になる。
（１）水槽内において海藻の遊走子を紐状体又は布片に着生させ、幼体に生長するまで育成した後、前記紐状体又は布片を適宜の寸法に切断して前記幼体を担持基体に固着し、更にその担持基体に固着した海藻の幼体を海底から離した状態で海中にて適度に育成した上、担持基体に固着した中間形態において目的海域へ供給するようにしたので、良質の海藻種苗を扱いやすい形態で海中林造成用種苗として大量供給することができる。
（２）海藻種苗を担持基体に固着した中間形態にて供給するようにしたので、目的海域への輸送時における種苗の取扱いがきわめて簡便で、輸送作業上の作業性が良好である。
（３）目的海域においては、前記担持基体を介して海藻種苗を造成用構造物に直接取着することができる。
【図面の簡単な説明】
【図１】  本発明の実施例を示した斜視図である。
【図２】  本発明の他の実施例を示した斜視図である。
【図３】  本発明の他の実施例を示した斜視図である。
【図４】  養生設備の要部を示した概略図である。
【図５】  垂下用ロープの垂下状態を示した図４の拡大図である。
【図６】  前記垂下用ロープの部分拡大斜視図である。
【図７】  海藻種苗担持片の使用状態を示した概略斜視図である。
【図８】  図７の部分概略図である。
【符号の説明】
１…担持基体、２…紐状体、３…幼体、４…撚糸、５…切込み部、６…布片、７…ステープル、８…海藻種苗担持片、９…海面、１０…浮玉、１１…親ロープ、１２…ブロック、１３…垂下用ロープ、１４…貫通孔、１５…パイプ、１６…重り、１７…構造体、１８…基盤、１９…柱体
【図１】
0003821877.tif 000002
【図２】
0003821877.tif 000003
【図３】
0003821877.tif 000004
【図４】
0003821877.tif 000005
【図５】
0003821877.tif 000006
【図６】
0003821877.tif 000007
【図７】
0003821877.tif 000008
【図８】
0003821877.tif 000009